(57)【要約】【課題】外部アンテナからの放送信号の受信中に混入される恐れのある不要な周波数成分を効率よく低減でき、受信中の放送番組への影響を軽減できる放送受信装置を提供する。【解決手段】外部アンテナ22からの受信信号に含まれる放送信号を受信可能な放送信号受信部23と、放送信号受信部23で受信された放送信号に基づく放送を報知可能な報知部3aと、放送信号とは異なる周波数帯域の所定の周波数成分を減衰するフィルタ回路41と、所定の周波数帯域の電磁波を検波する検波回路42,43と、検波回路42,43により所定の周波数帯域の電磁波が検波されるときは外部アンテナ22からの受信信号をフィルタ回路41を介して放送信号受信部23に入力し、検波回路42,43により所定の周波数帯域の電磁波が検波されないときは外部アンテナ22からの受信信号をフィルタ回路41を介さずに放送信号受信部23に入力するように制御する制御手段(36,37,48,51)と、を有する。【選択図】図１４
2007274141.tif 000002
【特許請求の範囲】
【請求項１】
外部アンテナからの受信信号に含まれる放送信号を受信しながら、前記放送信号とは異なる所定の周波数帯域の電磁波を検波し、
前記検波により当該電磁波が検出されると、前記外部アンテナからの受信信号から前記所定の周波数帯域の所定の周波数成分を減衰させて前記放送信号を受信することを特徴とする放送受信方法。
【請求項２】
外部アンテナからの受信信号に含まれる放送信号を受信可能な放送信号受信部と、
前記放送信号受信部で受信された放送信号に基づく放送を報知可能な報知部と、
前記放送信号とは異なる所定の周波数帯域の所定の周波数成分を減衰するフィルタ回路と、
前記所定の周波数帯域の電磁波を検波する検波回路と、
前記検波により当該電磁波が検出されるときは、前記外部アンテナからの受信信号を前記フィルタ回路を介して前記放送信号受信部に入力し、前記検波により当該電磁波が検出されないときは、前記外部アンテナからの受信信号を前記フィルタ回路を介さずに前記放送信号受信部に入力するように制御する制御手段と、
を有することを特徴とする放送受信装置。
【請求項３】
さらに、通信に係る情報を電磁波として送受信する送受信部を有し、
前記フィルタ回路は、前記送受信部が送受信する電磁波の周波数帯域の周波数成分を減衰するものであり、
前記検波回路は、前記送受信部が送受信する電磁波の周波数帯域の電磁波を検波するものであることを特徴とする請求項２に記載の放送受信装置。
【請求項４】
前記放送信号受信部、前記報知部および前記送受信部を有する携帯端末と、
前記フィルタ回路、前記検波回路および前記制御手段を内蔵するとともに、前記携帯端末を設置可能な端末設置部および前記外部アンテナに接続される外部ケーブルとのケーブル接続端子部を有する携帯端末用台とを有し、
前記放送信号受信部は、前記外部アンテナから前記外部ケーブルを経て前記ケーブル接続端子部に入力される受信信号に含まれる放送信号を受信することを特徴とする請求項３に記載の放送受信装置。
【請求項５】
外部アンテナからの受信信号に含まれる放送信号を受信可能な放送信号受信部、前記放送信号受信部で受信された放送信号に基づく放送を報知可能な報知部、および前記放送信号とは異なる周波数帯域で通信に係る情報を電磁波として送受信する送受信部を有する携帯端末と、
前記携帯端末を設置可能な端末設置部および前記送受信部が送受信する電磁波の周波数帯域の周波数成分を減衰するフィルタ回路を有する携帯端末用台とを有し、
前記携帯端末は、さらに、前記端末設置部に設置された状態で、前記送受信部が情報を送受信するときは、前記外部アンテナからの受信信号を前記フィルタ回路を介して前記放送信号受信部に入力し、前記送受信部が情報を送受信しないときは、前記外部アンテナからの受信信号を前記フィルタ回路を介さずに前記放送信号受信部に入力するように制御する制御手段を有することを特徴とする放送受信装置。
【請求項６】
外部アンテナからの受信信号に含まれる放送信号を受信可能な放送信号受信部、前記放送信号受信部で受信された放送信号に基づく放送を報知可能な報知部、および前記放送信号とは異なる周波数帯域で通信に係る情報を電磁波として送受信する送受信部を有する携帯端末を着脱自在に装着する携帯端末用台であって、
前記携帯端末を着脱自在に設置可能な端末設置部と、
前記外部アンテナに接続される外部ケーブルが着脱自在に接続されるケーブル接続端子部と、
前記携帯端末を前記端末設置部に設置した状態で前記放送信号受信部に電気的に接続される端末接続端子部と、
前記送受信部が送受信する電磁波の周波数帯域の周波数成分を減衰するフィルタ回路と、
前記ケーブル接続端子部と前記端末接続端子部とを前記フィルタ回路を介して電気的に接続する第一状態と、前記フィルタ回路を介さずに電気的に接続する第二状態とを切り替えるスイッチング手段と、
前記送受信部が送受信する電磁波の周波数帯域の電磁波を検波する検波回路と、
前記検波により当該電磁波が検出されるときは前記第一状態に切り替え、前記検波により当該電磁波が検出されないときは前記第二状態に切り替わるように前記スイッチング手段を制御するスイッチング制御手段と、
を有することを特徴とする携帯端末用台。
【発明の詳細な説明】
【技術分野】
【０００１】
本発明は、外部アンテナからの放送信号を受信する放送受信方法および放送受信装置、並びに外部アンテナからの放送信号を携帯電話等の携帯端末に供給する中継器となる携帯端末用台に関するものである。
【背景技術】
【０００２】
近年、携帯電話やＰＤＡ（Personal Digital Assistant）を典型例とする携帯端末として、電話や文字メッセージ等の通信に係る情報を電磁波として送受信する送受信機能の他に、例えばＡＭあるいはＦＭ等のラジオ放送や、ＶＨＦあるいはＵＨＦのテレビジョン放送等の放送信号を受信する放送受信機能を有し、ラジオ放送やテレビジョン放送の放送信号を受信して、ラジオ番組を聴取したり、テレビジョン番組を視聴したり、あるいは受信放送番組を記録したりするものが提案されている。
【０００３】
この種の携帯端末は、一般に、内蔵アンテナあるいはアンテナ兼用イアホンケーブル等の簡易アンテナを介して放送信号を受信していることから、電波環境の影響を強く受けることになる。このため、特に電波環境の悪い屋内では、良好な受信状態を得ることが難しく、その結果、放送番組を充分満足して受信できないことが多い。
【０００４】
このような問題を解決し得るものとして、携帯端末を外部アンテナからの受信信号を入力可能に構成するとともに、この携帯端末を着脱自在に装着するクレードルを、外部ケーブルを介して外部アンテナに接続可能に構成して、携帯端末をクレードルに装着することにより、外部アンテナからの受信信号を外部ケーブルおよびクレードルを介して携帯端末に入力するようにしたものが知られている（例えば、特許文献１参照）。
【０００５】
このように、携帯端末を外部アンテナからの受信信号を入力可能に構成すれば、外部アンテナは屋外などの電波環境の良好な場所に設置されても電波環境の影響をほとんど受けることがないので、高品位の放送信号を受信することができ、放送番組を充分満足して受信することが可能となる。
【特許文献１】特開２００５−７３００５号公報
【発明の開示】
【発明が解決しようとする課題】
【０００６】
しかしながら、本発明者らによる実験検討によると、放送受信機能の他に電話や文字メッセージ等の通信に係る情報の送受信機能を有する携帯端末の場合には、以下に説明するような問題があることが判明した。
【０００７】
すなわち、この種の携帯端末では、外部アンテナからの受信信号に含まれる放送信号の受信中であっても、通信に係る情報を電磁波として送受信することが可能となっている。ここで、放送信号の周波数帯域は、例えばＦＭのラジオ放送からＵＨＦのテレビジョン放送までの場合には７０ＭＨｚ〜７７０ＭＨｚとなっており、通信に係る情報の送受信信号は、例えば８００ＭＨｚ帯域または２ＧＨｚ帯域で、放送信号の周波数帯域と比較的近接している。
【０００８】
このため、携帯端末をクレードルに装着して外部アンテナからの放送信号の受信中に、内蔵アンテナを介して電話着信や文字メッセージ等のデータ受信があったり、電話発信やデータ送信が行われたりすると、その際の電磁波が外部アンテナや外部ケーブル等でも受信されて携帯端末に入力され、その電磁波がノイズとして受信中の放送信号に干渉して、受信中の放送番組の画像や音声等が乱れる等の影響を及ぼす場合がある。
【０００９】
なお、このような問題は、上記の特許文献１に開示のように、通信に係る情報を電磁波として送受信する送受信機能を有さない携帯端末の場合であっても、クレードルの近傍や、クレードルに接続された外部アンテナの近傍に、放送信号の周波数帯域とは異なる所定の周波数帯域の電磁波を送信したり、受信したりする無線機器が設置されている場合には、同様に生じるものである。
【００１０】
したがって、かかる事情に鑑みてなされた本発明の目的は、外部アンテナからの放送信号の受信中に混入される恐れのある不要な電磁波に対する周波数成分を効率よく低減でき、受信中の放送番組の画像や音声等への影響を軽減できる放送受信方法および放送受信装置、並びに携帯端末用台を提供することにある。
【課題を解決するための手段】
【００１１】
上記目的を達成する請求項１に係る放送受信方法の発明は、
外部アンテナからの受信信号に含まれる放送信号を受信しながら、前記放送信号とは異なる所定の周波数帯域の電磁波を検波し、
前記検波により当該電磁波が検出されると、前記外部アンテナからの受信信号から前記所定の周波数帯域の所定の周波数成分を減衰させて前記放送信号を受信することを特徴とするものである。
【００１２】
さらに、上記目的を達成する請求項２に係る放送受信装置の発明は、
外部アンテナからの受信信号に含まれる放送信号を受信可能な放送信号受信部と、
前記放送信号受信部で受信された放送信号に基づく放送を報知可能な報知部と、
前記放送信号とは異なる所定の周波数帯域の所定の周波数成分を減衰するフィルタ回路と、
前記所定の周波数帯域の電磁波を検波する検波回路と、
前記検波により当該電磁波が検出されるときは、前記外部アンテナからの受信信号を前記フィルタ回路を介して前記放送信号受信部に入力し、前記検波により当該電磁波が検出されないときは、前記外部アンテナからの受信信号を前記フィルタ回路を介さずに前記放送信号受信部に入力するように制御する制御手段と、
を有することを特徴とするものである。
【００１３】
請求項３に係る発明は、請求項２に記載の放送受信装置において、
さらに、通信に係る情報を電磁波として送受信する送受信部を有し、
前記フィルタ回路は、前記送受信部が送受信する電磁波の周波数帯域の周波数成分を減衰するものであり、
前記検波回路は、前記送受信部が送受信する電磁波の周波数帯域の電磁波を検波するものであることを特徴とするものである。
【００１４】
請求項４に係る発明は、請求項３に記載の放送受信装置において、
前記放送信号受信部、前記報知部および前記送受信部を有する携帯端末と、
前記フィルタ回路、前記検波回路および前記制御手段を内蔵するとともに、前記携帯端末を設置可能な端末設置部および前記外部アンテナに接続される外部ケーブルとのケーブル接続端子部を有する携帯端末用台とを有し、
前記放送信号受信部は、前記外部アンテナから前記外部ケーブルを経て前記ケーブル接続端子部に入力される受信信号に含まれる放送信号を受信することを特徴とするものである。
【００１５】
さらに、上記目的を達成する請求項５に係る放送受信装置の発明は、
外部アンテナからの受信信号に含まれる放送信号を受信可能な放送信号受信部、前記放送信号受信部で受信された放送信号に基づく放送を報知可能な報知部、および前記放送信号とは異なる周波数帯域で通信に係る情報を電磁波として送受信する送受信部を有する携帯端末と、
前記携帯端末を設置可能な端末設置部および前記送受信部が送受信する電磁波の周波数帯域の周波数成分を減衰するフィルタ回路を有する携帯端末用台とを有し、
前記携帯端末は、さらに、前記端末設置部に設置された状態で、前記送受信部が情報を送受信するときは、前記外部アンテナからの受信信号を前記フィルタ回路を介して前記放送信号受信部に入力し、前記送受信部が情報を送受信しないときは、前記外部アンテナからの受信信号を前記フィルタ回路を介さずに前記放送信号受信部に入力するように制御する制御手段を有することを特徴とするものである。
【００１６】
さらに、上記目的を達成する請求項６に係る携帯端末用台の発明は、
外部アンテナからの受信信号に含まれる放送信号を受信可能な放送信号受信部、前記放送信号受信部で受信された放送信号に基づく放送を報知可能な報知部、および前記放送信号とは異なる周波数帯域で通信に係る情報を電磁波として送受信する送受信部を有する携帯端末を着脱自在に装着する携帯端末用台であって、
前記携帯端末を着脱自在に設置可能な端末設置部と、
前記外部アンテナに接続される外部ケーブルが着脱自在に接続されるケーブル接続端子部と、
前記携帯端末を前記端末設置部に設置した状態で前記放送信号受信部に電気的に接続される端末接続端子部と、
前記送受信部が送受信する電磁波の周波数帯域の周波数成分を減衰するフィルタ回路と、
前記ケーブル接続端子部と前記端末接続端子部とを前記フィルタ回路を介して電気的に接続する第一状態と、前記フィルタ回路を介さずに電気的に接続する第二状態とを切り替えるスイッチング手段と、
前記送受信部が送受信する電磁波の周波数帯域の電磁波を検波する検波回路と、
前記検波により当該電磁波が検出されるときは前記第一状態に切り替え、前記検波により当該電磁波が検出されないときは前記第二状態に切り替わるように前記スイッチング手段を制御するスイッチング制御手段と、
を有することを特徴とするものである。
【発明の効果】
【００１７】
本発明によれば、外部アンテナからの放送信号の受信中に、放送信号とは異なる所定の周波数帯域の電磁波が検波により当該電磁波が検出されるときは、その電磁波の周波数帯域の周波数成分が外部アンテナからの受信信号から減衰されるので、受信中の放送信号に混入される恐れのある不要な電磁波に対する周波数成分を効率よく低減して携帯端末に常に高品位の放送信号を供給することができ、放送番組の画像や音声等への影響を軽減することができる。
【発明を実施するための最良の形態】
【００１８】
以下、本発明の実施の形態について、図を参照して説明する。
【００１９】
図１は、本発明の一実施の形態に係る放送受信装置を示す斜視図である。本実施の形態の放送受信装置は、携帯端末用台１と、この携帯端末用台１に着脱自在に装着（収容）される携帯電話として例示する携帯端末３とを有している。
【００２０】
携帯端末３は、８００ＭＨｚ帯域または２ＧＨｚ帯域での電話や文字メッセージ等の通信に係る情報を電磁波として送受信する送受信機能（送受信部）の他に、ラジオ放送やテレビジョン放送等の放送信号を受信する放送受信機能（放送信号受信部）、および受信した放送を報知するスピーカ（図示せず）やディスプレイ３ａ（報知部）を有している。
【００２１】
また、携帯端末用台１は、図示しない外部アンテナに接続される外部ケーブル２が着脱自在に接続可能になっており、携帯端末３が所定の姿勢で装着された状態で、外部アンテナでの受信信号が外部ケーブル２および携帯端末用台１を経て携帯端末３に入力されるようになっている。すなわち、携帯端末用台１は、図２に分解斜視図を示すように、外部ケーブル２が接続されるケーブル接続端子部である第１端子部を配したロアケース１０上に、中継基板１１および端子受け部材１２、充電器として兼用する場合の電源回路等を組み込んだ携帯端末の装着ボード１３、および端末接続端子部である第２端子部１４を順次積層配置し、これらを内包するように端末設置部を有するアッパーケース１５をロアケース１０に固定している。
【００２２】
図３に示すように、ロアケース１０に配した第１端子部１６は、ロアケース１０の底面に臨ませて配置し、ロアケース１０の底面側から外部ケーブル２の端子が差し込まれるようになっている。すなわち、図示の第１端子部１６は同軸コネクタ構造を有し、めす型の中心コンタクト１６ａの外側に外部コンタクト１６ｂおよびフランジ１６ｃを同軸的に配置して成り、図４に示すように、外部ケーブル２の端子であるプラグ１７のおす型の中心コンタクト１７ａを第１端子部１６の中心コンタクト１６ａに、プラグ１７の外側のコンタクトリング１７ｂを第１端子部１６の外部コンタクト１６ｂに、それぞれ差し込むことによって、第１端子部１６とプラグ１７とが電気的に接続されるようになっている。
【００２３】
第１端子部１６は、図５に示すように、例えば１芯シールドケーブル１８ａを介して中継基板１１のアンテナ入力端子に接続され、この中継基板１１のアンテナ出力端子から１芯シールドケーブル１８ｂを介して第２端子部１４に接続される。この中継基板１１に搭載する回路の構成については、後述する。
【００２４】
第２端子部１４には、図５および図６に示すように、その両サイドに突条１４ａが母線方向に延在して形成されている。これら突条１４ａは、アッパーケース１５に形成された凹溝にスライド自在に係合され、これにより第２端子部１４はアッパーケース１５の端末設置部である装着面１５ａに対して進退する向きに移動可能に取り付けられている。さらに、第２端子部１４の底部は、端子受け部材１２に支持されて、装着面１５ａに対する移動範囲が規制されるようになっている。なお、第２端子部１４の頭部は、中心コンタクト突起１４ｂと外部コンタクト１４ｃとの同軸コネクタ構造となっている。
【００２５】
一方、端子受け部材１２は、図２に示したように、第２端子部１４の底部を直接支持する受皿１２ａと脚部１２ｂとを有している。また、脚部１２ｂの受皿１２ａ側には、突起１２ｃが形成され、この突起１２ｃを、図５に示すように、第１端子部１６の円筒状フランジ１６ｃの周壁に母線方向に延在して設けた切り欠き１６ｅに嵌め込むことにより、端子受け部材１２を第１端子部１６に対してその母線方向に移動可能に取り付けている。
【００２６】
また、図３に示すように、第１端子部１６の外部コンタクト１６ｂにおける外周部の円弧の一部分を平面状に形成することにより、円筒状フランジ１６ｃの内周壁との隙間１６ｆに、切り欠き１６ｅに嵌め込まれた突起１２ｃの一部が位置するようになっている。
【００２７】
第２端子部１４は、図７に示すように、外部ケーブル２のプラグ１７が第１端子部１６に接続されていない状態では、その頭部がアッパーケース１５の装着面１５ａよりも内側の格納位置に収まっている。図８（ａ）は、この未接続状態における図３（ａ）のＡ−Ａ線に沿う部分断面図を示している。
【００２８】
これに対し、図９に示すように、外部ケーブル２のプラグ１７を第１端子部１６に接続すると、プラグ１７のコンタクトリング１７ｂを外部コンタクト１６ｂとフランジ１６ｃとの間に差し込むことによって、コンタクトリング１７ｂの先端部が隙間１６ｆ内の突起１２ｃを押して端子受け部材１２を装着面１５ａ側に移動させ、この移動により第２端子部１４も装着面１５ａ側に移動してその頭部が装着面１５ａから突出し、携帯端末３と結合可能となる。図８（ｂ）は、この接続状態における図３（ａ）のＡ−Ａ線に沿う部分断面図を示している。
【００２９】
このように、本実施の形態の携帯端末用台１は、外部ケーブル２のプラグ１７を第１端子部１６に差し込むことにより、その差し込みに連動して格納位置にあった第２端子部１４の接点となる頭部が装着面１５ａから突出するので、この頭部の視認によって外部ケーブル２のプラグ１７の接続が容易に確認でき、携帯端末用台１を介しての放送受信が可能であることが一目瞭然となる。
【００３０】
図１０および図１１は、携帯端末３と第２端子部１４との嵌め合いを示す斜視図および部分拡大斜視図である。携帯端末３には、携帯端末用台１の装着面１５ａに正しく装着された状態で第２端子部１４と対応する位置に受信端子部１９が設けられており、携帯端末用台１に外部ケーブル２が接続されて第２端子部１４の頭部が突出した状態で、携帯端末３を携帯端末用台１に装着すると、携帯端末３の受信端子部１９に第２端子部１４の頭部が嵌り合って外部ケーブル２と接続され、これにより外部アンテナでの受信信号が入力可能となる。
【００３１】
すなわち、携帯端末３の受信端子部１９は、図１２に示すように、第２端子部１４の中心コンタクト突起１４ｂが嵌り合う凹部内に中心コンタクトボタン１９ａを有し、外部コンタクト１４ｃの接触域に外部コンタクトボタン１９ｂを有している。これら中心コンタクトボタン１９ａおよび外部コンタクトボタン１９ｂは、例えば受信端子本体側に固定した、ばね（図示せず）を介して第２端子部１４側に付勢されていて、第２端子部１４の頭部が嵌められると、中心コンタクトボタン１９ａおよび外部コンタクトボタン１９ｂとの間で適度の接触圧を保持したまま、第２端子部１４の頭部に押されるようになっている。
【００３２】
特に、中心コンタクトボタン１９ａが第２端子部１４の中心コンタクト突起１４ｂに押されると、図１２（ｂ）に仮想線で示すように、その変位がそのままスイッチ１９ｃにおける変位となる。このスイッチ１９ｃは、内蔵アンテナ２１への接続状態または非接続状態を切り替えるスイッチであり、このように図１２（ｂ）の仮想線側に変位することにより、図１３に示す内蔵アンテナ２１との接続状態が切断される。この結果、外部アンテナ２２での受信信号は、外部ケーブル２を経て携帯端末用台１の第２端子部１４に伝送され、その後、携帯端末３の受信端子部１９を経て放送信号受信部２３に入力されることになる。
【００３３】
したがって、携帯端末３を携帯端末用台１に装着すれば、内蔵アンテナ２１を用いて放送受信を行う通常使用形態から、外部アンテナ２２を用いて良好な放送受信を行う外部アンテナ使用状態に切り替わり、例えばテレビジョン放送の受信においては、高品位の放送画像が再現される据え置き型のテレビジョン装置としての使用形態に簡単に移行することができる。
【００３４】
次に、図１４を参照して、中継基板１１に搭載する回路の構成について説明する。中継基板１１には、電源端子３１、充電端子３２、アンテナ入力端子３３およびアンテナ出力端子３４が設けられている。
【００３５】
電源端子３１は、図示しない電源ケーブルを介して携帯端末用台１に設けられた図示しないＤＣ入力端子に接続され、このＤＣ入力端子に図示しないＡＣアダプタのＤＣ出力端子が接続されることによって、中継基板１１にＤＣ電源が供給されるようになっている。充電端子３２は、電源端子３１に接続され、この充電端子３２から装着ボード１３に組み込まれた充電用の電源回路等にＤＣ電源が給電されるようになっている。また、アンテナ入力端子３３は、１芯シールドケーブル１８ａを介して第１端子部１６に接続され、アンテナ出力端子３４は、１芯シールドケーブル１８ｂを介して第２端子部１４に接続されている。
【００３６】
アンテナ入力端子３３の信号端子３３ａは、フューズ３５を介して２接点の第１アンテナスイッチ３６のコモン端子３６ａに接続され、グランド端子３３ｂはグランドに接続されている。アンテナ出力端子３４の信号端子３４ａは、２接点の第２アンテナスイッチ３７のコモン端子３７ａに接続され、グランド端子３４ｂはグランドに接続されている。また、第１アンテナスイッチ３６のコモン端子３６ａとグランドとの間には、携帯端末用台１に装着される携帯端末３をサージ電圧から保護するためのサージアブソーバ３８が接続されている。
【００３７】
第１アンテナスイッチ３６の第１接点３６ｂは、第２アンテナスイッチ３７の第１接点３７ｂに接続されており、第１アンテナスイッチ３６の第２接点３６ｃと第２アンテナスイッチ３７の第２接点３７ｃとの間には、携帯端末によって使用可能な情報通信用の周波数帯域、ここでは８００ＭＨｚ帯域および２ＧＨｚ帯域の周波数成分を減衰させるπ型フィルタからなるフィルタ回路４１が接続されている。
【００３８】
第１アンテナスイッチ３６および第２アンテナスイッチ３７は、スイッチング手段を構成するもので、それぞれ２つの制御端子を有しており、一方の制御端子の電位がハイレベルで、他方の制御端子の電位がローレベルにあるときは、それぞれのコモン端子３６ａおよび３７ａが対応する第１接点３６ｂおよび３７ｂに接続され、逆に、一方の制御端子の電位がローレベルで、他方の制御端子の電位がハイレベルにあるときは、それぞれのコモン端子３６ａおよび３７ａが対応する第２接点３６ｃおよび３７ｃに接続されるようになっている。
【００３９】
本実施の形態では、携帯端末用台１に装着された携帯端末３が通話やデータ等の情報に係る電磁波の送受信を行っていない状態では、第１アンテナスイッチ３６および第２アンテナスイッチ３７のコモン端子３６ａおよび３７ａを、対応する第１接点３６ｂおよび３７ｂに接続して、第１端子部１６に入力される外部アンテナからの受信信号を、フィルタ回路４１を介することなく、第２端子部１４にスルーさせる（第二状態）。
【００４０】
これに対し、携帯端末用台１に装着された携帯端末３に電話着信や文字メッセージ等のデータに係る電磁波受信があったり、携帯端末３から電話発信やデータに係る電磁波送信が行われたりした場合には、第１アンテナスイッチ３６および第２アンテナスイッチ３７のコモン端子３６ａおよび３７ａを対応する第２接点３６ｃおよび３７ｃに接続して、第１端子部１６に入力される外部アンテナからの受信信号を、フィルタ回路４１を介して第２端子部１４に出力する（第一状態）。
【００４１】
このため、本実施の形態では、中継基板１１に８００ＭＨｚ帯域の電磁波を検出する検波回路４２および２ＧＨｚ帯域の電磁波を検出する検波回路４３を設け、これらの検波回路４２，４３の出力を対応するダイオード４４，４５で半波整流し、さらに平滑コンデンサ４６で平滑して抵抗４７を経てＮＰＮトランジスタからなる第１スイッチングトランジスタ４８のベースに供給し、この第１スイッチングトランジスタ４８のコレクタ端子を、第１アンテナスイッチ３６および第２アンテナスイッチ３７の一方の制御端子にそれぞれ接続し、エミッタ端子は電源端子３１の＋端子（グランド）３１ｂに接続する。
【００４２】
また、電源端子３１の＋端子３１ａには、ＰＮＰトランジスタからなる第２スイッチングトランジスタ５１のエミッタ端子に接続し、この第２スイッチングトランジスタ５１のコレクタ端子を第１アンテナスイッチ３６および第２アンテナスイッチ３７の他方の制御端子にそれぞれ接続し、ベース端子を抵抗５２を経て第１トランジスタスイッチ４８のコレクタ端子に接続する。ここで、第１スイッチングトランジスタ４８および第２スイッチングトランジスタ５１は、スイッチング手段である第１アンテナスイッチ３６および第２アンテナスイッチ３７を制御するスイッチング制御手段を構成している。また、これらスイッチング手段およびスイッチング制御手段で、請求項２における制御手段を構成している。
【００４３】
なお、検波回路４２，４３は、検出感度を高めるために、好ましくは、携帯端末用台１に携帯端末３が正しく装着された状態において、携帯端末３の内蔵アンテナ２１の近傍に位置するように配置する。
【００４４】
図１４において、携帯端末用台１に携帯端末３が正しく装着され、ＡＣアダプタから電源端子３１に所要のＤＣ電圧（Ｖｃｃ）が給電されている状態において、検波回路４２，４３でそれぞれ所定の周波数帯域の電磁波が検波により検出されないときは、第１スイッチングトランジスタ４８はオフとなるため、第２スイッチングトランジスタ５１もオフとなり、第１スイッチングトランジスタ４８のコレクタ端子の電位がハイレベル（Ｖｃｃ）、第２スイッチングトランジスタ５１のコレクタ端子の電位はローレベル（グランド電位）となる。
【００４５】
したがって、この状態では、第１アンテナスイッチ３６および第２アンテナスイッチ３７の一方の制御端子の電位がそれぞれハイレベルで、他方の制御端子の電位がそれぞれローレベルとなるので、それぞれのコモン端子３６ａおよび３７ａは対応する第１接点３６ｂおよび３７ｂに接続されて、第１端子部１６に入力される外部アンテナからの受信信号は、フィルタ回路４１を介することなく、第２端子部１４にスルーされる。
【００４６】
一方、検波回路４２，４３の少なくとも一方で所定の周波数帯域の電磁波が検波により検出されると、第１スイッチングトランジスタ４８がオンとなり、これにより第２スイッチングトランジスタ５１もオンとなるので、第１スイッチングトランジスタ４８のコレクタ端子の電位はローレベル、第２スイッチングトランジスタ５１のコレクタ端子の電位はハイレベルとなる。
【００４７】
したがって、この状態では、第１アンテナスイッチ３６および第２アンテナスイッチ３７の一方の制御端子の電位がそれぞれローレベルで、他方の制御端子の電位がそれぞれハイレベルとなるので、それぞれのコモン端子３６ａおよび３７ａは対応する第２接点３６ｃおよび３７ｃに接続されて、第１端子部１６に入力される外部アンテナからの受信信号は、フィルタ回路４１を介して第２端子部１４に出力される。
【００４８】
このように、本実施の形態では、外部アンテナ２２からの放送信号の受信中に、携帯端末３によって使用される情報通信用の８００ＭＨｚ帯域または２ＧＨｚ帯域の電磁波が検波により検出されたときは、その電磁波の周波数帯域の周波数成分がフィルタ回路４１により外部アンテナ２２からの受信信号から減衰されるので、受信中の放送信号に混入される恐れのある不要な周波数成分を効率よく低減することができる。したがって、携帯端末３に常に高品位の放送信号を供給することができるので、放送番組の画像や音声等への影響を軽減することができる。
【００４９】
また、情報通信用の８００ＭＨｚ帯域および２ＧＨｚ帯域の周波数成分を減衰させるフィルタ回路４１と、第１端子部１６と第２端子部１４とをフィルタ回路４１を介して電気的に接続する第１、第２アンテナスイッチ３６，３７と、８００ＭＨｚ帯域および２ＧＨｚ帯域の電磁波を検出する検波回路４２，４３と、検波回路４２，４３の出力に基づいて第１、第２アンテナスイッチ３６，３７を制御する第１、第２スイッチングトランジスタ４８，５１とを携帯端末用台１に設けているので、携帯端末３側の改良を最小限に抑えることができ、簡単かつ安価にできる。
【００５０】
なお、本発明は、上記実施の形態に限定されるものではなく、幾多の変更または変形が可能である。例えば、上記実施の形態では、第１、第２スイッチングトランジスタ４８，５１として、バイポーラトランジスタを用いたが、ＦＥＴを用いることもできる。
【００５１】
また、携帯端末３は、８００ＭＨｚ帯域または２ＧＨｚ帯域の情報通信用の送受信部は検波回路を内蔵しているので、この検波回路の出力を利用して第１、第２アンテナスイッチ３６，３７の切換えを制御することもできる。さらに、この場合には、第１、第２アンテナスイッチ３６，３７を制御する第１、第２スイッチングトランジスタ４８，５１も携帯端末３に内蔵させることもできる。なお、このような場合には、携帯端末３を携帯端末用台１に正しく装着した状態で、携帯端末３側からの検波出力や、第１、第２アンテナスイッチ３６，３７の制御信号を取り出せるように、携帯端末３および携帯端末用台１に互いに接触する端子を設ければよい。
【００５２】
さらに、上記実施の形態では、外部ケーブル２のプラグ１７を第１端子部１６に差し込むことにより、第２端子部１４の頭部を装着面１５ａから突出させるようにしたが、第２端子部１４はその頭部が装着面１５ａから常時突出するように携帯端末用台１に固定してもよい。
【００５３】
また、本発明は、ラジオやテレビジョン等の放送の受信機能のみを有し、電話やメッセージ等の情報の送受信機能を有さない携帯端末の場合であっても、その携帯端末を装着する携帯端末用台の近傍や、携帯端末用台に接続された外部アンテナの近傍に、放送信号の周波数帯域とは異なる所定の周波数帯域の電磁波を送信したり、受信したりする無線機器が設置されている場合にも、同様に適用することができる。
【図面の簡単な説明】
【００５４】
【図１】携帯端末を装着した携帯端末用台を示す斜視図である。
【図２】図１に示す携帯端末用台の分解斜視図である。
【図３】同じく、底面図である。
【図４】外部ケーブルの端子を差し込む第１端子部の構造を示す図である。
【図５】第１端子部および第２端子部の組み付け構造を示す図である。
【図６】第２端子部とその端子受け部材とを示す図である。
【図７】外部ケーブルのプラグを差し込む前の第２端子部の位置を示す図である。
【図８】図３におけるＡ−Ａ線に沿う断面を含む台の底面側からの斜視図である。
【図９】外部ケーブルのプラグ差し込み後の第２端子部の位置を示す図である。
【図１０】携帯端末の受信端子部と第２端子部との嵌め合いを示す図である。
【図１１】携帯端末の受信端子部と第２端子部との嵌め合い部分の拡大図である。
【図１２】携帯端末の受信端子部の構造を示す図である。
【図１３】受信端子部の受信切り替え用の回路を示す図である。
【図１４】携帯端末用台の中継基板に搭載された回路の構成を示す図である。
【符号の説明】
【００５５】
１  携帯端末用台
２  外部ケーブル
３  携帯端末
３ａ  ディスプレイ
１０  ロアケース
１１  中継基板
１２  端子受け部材
１３  装着ボード
１４  第２端子部
１５  アッパーケース
１５ａ  装着面
１６  第１端子部
１７  プラグ
１９  受信端子部
２１  内蔵アンテナ
２２  外部アンテナ
２３  放送信号受信部
３１  電源端子
３２  充電端子
３３  アンテナ入力端子
３４  アンテナ出力端子
３６  第１アンテナスイッチ
３７  第２アンテナスイッチ
４１  フィルタ回路
４２，４３  検波回路
４８  第１スイッチングトランジスタ
５１  第２トランジスタスイッチ
【図１】
2007274141.tif 000003
【図２】
2007274141.tif 000004
【図３】
2007274141.tif 000005
【図４】
2007274141.tif 000006
【図５】
2007274141.tif 000007
【図６】
2007274141.tif 000008
【図７】
2007274141.tif 000009
【図８】
2007274141.tif 000010
【図９】
2007274141.tif 000011
【図１０】
2007274141.tif 000012
【図１１】
2007274141.tif 000013
【図１２】
2007274141.tif 000014
【図１３】
2007274141.tif 000015
【図１４】
2007274141.tif 000016